(57)【要約】【課題】動画データが埋め込まれた文書ファイルの文書画像を表示又は印刷するときに、当該文書画像としての動画データ再生領域に配置して表示又は印刷させる動画コマの使い勝手を向上させる。【解決手段】表示部２５を備えるＰＣ３１を、文書ファイル内に埋め込まれた動画データを前記表示部上に再生させる動画再生部２１０によって再生されている動画データが含む動画コマから、ユーザ指定の動画コマを受け付ける動画コマ受付部２１４と、動画コマ受付部２１４で指定が受け付けられた動画コマを示す指定動画コマ情報を、当該動画データが埋め込まれている文書ファイルに付加するコマ情報付加部２１５として機能させるファイル生成プログラムである。【選択図】図１０
2012099932.tif 000002
【特許請求の範囲】
【請求項１】
表示部を備える情報処理装置を、
文書ファイル内に埋め込まれた動画データを前記表示部上に再生させる動画再生部によって再生されている動画データが含む動画コマから、ユーザ指定の動画コマを受け付ける動画コマ受付部と、
前記動画コマ受付部で指定が受け付けられた動画コマを示す指定動画コマ情報を、当該動画データが埋め込まれている文書ファイルに付加するコマ情報付加部と
して機能させるファイル生成プログラム。
【請求項２】
前記指定動画コマ情報が示す動画コマを前記動画データ再生領域に配置した前記文書画像を前記表示部に表示させる表示制御部として、
前記情報処理装置を更に機能させる請求項１に記載のファイル生成プログラム。
【請求項３】
前記文書ファイルに付加された前記指定動画コマ情報が示す動画コマのうち、プリントデータへの変換候補とする動画コマの指定をユーザから受け付ける変換候補受付部と、
前記変換候補受付部に指定が受け付けられた動画コマを前記文書ファイルに含まれる文書画像における動画データ再生領域に配置した当該文書画像の画像データを、プリンタで印刷が可能なプリントデータに変換するデータ変換部として、
前記情報処理装置を更に機能させる請求項１に記載のファイル生成プログラム。
【請求項４】
前記文書ファイルに付加されている前記指定動画コマ情報が示す各動画コマを配置した集約頁の画像データを作成する集約頁作成部として更に機能し、
前記データ変換部が、前記集約頁作成部によって作成された前記集約頁の画像データを、画像形成装置での印刷が可能なプリントデータに変換するように、
更に前記情報処理装置を機能させる請求項３に記載のファイル生成プログラム。
【請求項５】
前記文書ファイルにアクセスする各ユーザを識別するユーザ識別部として更に機能し、
前記動画コマ受付部は、前記動画コマの指定を、前記ユーザ識別部によって識別された各ユーザ毎に受け付け、
前記コマ情報付加部は、前記動画コマ受付部により指定が受け付けられた動画コマを示す前記指定動画コマ情報を、前記各ユーザ毎に前記文書ファイルに付加するように、前記情報処理装置を機能させる請求項１乃至請求項４のいずれかに記載のファイル生成プログラム。
【請求項６】
前記文書ファイルにアクセスする各ユーザを識別するユーザ識別部として更に機能し、
前記動画コマ受付部は、前記動画コマの指定を、前記ユーザ識別部によって識別された各ユーザ毎に受け付け、
前記コマ情報付加部は、前記動画コマ受付部により指定が受け付けられた動画コマを示す前記指定動画コマ情報を、前記各ユーザ毎に前記文書ファイルに付加するように機能し、
前記表示制御部が、前記各ユーザの指定動画コマ情報毎に、当該指定動画コマ情報が示す動画コマを前記動画データ再生領域に配置した前記文書画像を前記表示部に表示させるように、前記情報処理装置を更に機能させる請求項２に記載のファイル生成プログラム。
【請求項７】
前記文書ファイルにアクセスする各ユーザを識別するユーザ識別部として更に機能し、
前記動画コマ受付部は、前記動画コマの指定を、前記ユーザ識別部によって識別された各ユーザ毎に受け付け、
前記コマ情報付加部は、前記動画コマ受付部により指定が受け付けられた動画コマを示す前記指定動画コマ情報を、前記各ユーザ毎に前記文書ファイルに付加するように機能し、
前記データ変換部が、前記各ユーザ毎に付加されている指定動画コマ情報が示す動画コマの画像データに対して、当該各ユーザの指定動画コマ情報別に前記データ変換を行うように、前記情報処理装置を更に機能させる請求項３に記載のファイル生成プログラム。
【請求項８】
前記文書ファイルにアクセスする各ユーザを識別するユーザ識別部として更に機能し、
前記動画コマ受付部は、前記動画コマの指定を、前記ユーザ識別部によって識別された各ユーザ毎に受け付け、
前記コマ情報付加部は、前記動画コマ受付部により指定が受け付けられた動画コマを示す前記指定動画コマ情報を、前記各ユーザ毎に前記文書ファイルに付加するように機能し、
前記表示制御部が、前記文書ファイルに付加されている全ユーザの指定動画コマ情報が示す動画コマを前記表示部に表示させるように、前記情報処理装置を機能させる請求項２に記載のファイル生成プログラム。
【請求項９】
前記動画データが含む動画コマについて、前記データ変換部によって前記プリントデータに変換された頻度を算出する変換頻度算出部として更に機能し、
前記動画コマ受付部が、前記変換頻度算出部によって算出された変換頻度が高い動画コマを、前記指定された動画コマとして受け付けるように、前記情報処理装置を機能させる請求項１乃至請求項８のいずれかに記載のファイル生成プログラム。
【請求項１０】
前記動画データが含む各動画コマについて、直前に再生される動画コマの画像データに対する変化量を算出する変化量算出部として更に機能し、
前記動画コマ受付部が、前記動画データが含む動画コマのうち、前記変化量算出部によって算出された変化量が予め定められた値に達している動画コマを、前記指定された動画コマとして受け付けるように、前記情報処理装置を機能させる請求項１乃至請求項８のいずれかに記載のファイル生成プログラム。
【請求項１１】
表示部と、
文書ファイル内に埋め込まれた動画データを前記表示部上に再生させる動画再生部によって再生される動画データが含む動画コマからユーザ指定の動画コマを受け付ける動画コマ受付部と、
前記動画コマ受付部で指定が受け付けられた動画コマを示す指定動画コマ情報を、当該動画データが埋め込まれている文書ファイルに付加するコマ情報付加部と
を備える情報処理装置。
【請求項１２】
表示部と、
文書ファイル内に埋め込まれた動画データを前記表示部上に再生させる動画再生部によって再生される動画データが含む動画コマからユーザ指定の動画コマを受け付ける動画コマ受付部と、
前記動画コマ受付部で指定が受け付けられた動画コマを示す指定動画コマ情報を、当該動画データが埋め込まれている文書ファイルに付加するコマ情報付加部と、
前記コマ情報付加部によって前記文書ファイルに付加された前記指定動画コマ情報が示す動画コマを印刷する印刷部と
を備える画像形成装置。
【発明の詳細な説明】
【技術分野】
【０００１】
本発明は、ファイル生成プログラム、情報処理装置、及び画像形成装置に関し、特に、文書ファイルに埋め込まれた動画データを構成する動画コマを取り扱う技術に関する。
【背景技術】
【０００２】
従来、動画データを構成する複数の動画コマ（フレーム，静止画像）から、静止画として抽出する動画コマを指定する技術として、デジタルカメラに接続されたパーソナルコンピュータで、動画データの再生時間内における所望の期間をユーザが指定すると、当該指定された期間内の動画データに含まれる動画コマをGUI（Graphical User Interface）がサムネイル表示し、当該サムネイル表示された各動画コマから所望の動画コマをユーザが選択できるようにしたものがある（下記特許文献１参照）。
【先行技術文献】
【特許文献】
【０００３】
【特許文献１】特開２００５−４４０３０号公報
【発明の概要】
【発明が解決しようとする課題】
【０００４】
しかしながら、上記従来の技術は、動画データの中からユーザが所望の動画コマを単に指定可能としたに過ぎない。例えば、PDF形式等の文書ファイルに埋め込まれた動画データを、当該文書ファイルが備える文書画像の表示時又は印刷時に、どのような態様で表示又は印刷させるかまでを指定できるものではない。
【０００５】
本発明は、上記の問題を解決するためになされたもので、動画データが埋め込まれた文書ファイルの文書画像を表示又は印刷するときに、当該文書画像としての動画データ再生領域に配置して表示又は印刷させる動画コマの使い勝手を向上させることを目的とする。
【課題を解決するための手段】
【０００６】
本発明の請求項１に記載の発明は、表示部を備える情報処理装置を、
文書ファイル内に埋め込まれた動画データを前記表示部上に再生させる動画再生部によって再生されている動画データが含む動画コマから、ユーザ指定の動画コマを受け付ける動画コマ受付部と、
前記動画コマ受付部で指定が受け付けられた動画コマを示す指定動画コマ情報を、当該動画データが埋め込まれている文書ファイルに付加するコマ情報付加部と
して機能させるファイル生成プログラムである。
【０００７】
また、本発明の請求項１０に記載の発明は、表示部と、
文書ファイル内に埋め込まれた動画データを前記表示部上に再生させる動画再生部によって再生される動画データが含む動画コマからユーザ指定の動画コマを受け付ける動画コマ受付部と、
前記動画コマ受付部で指定が受け付けられた動画コマを示す指定動画コマ情報を、当該動画データが埋め込まれている文書ファイルに付加するコマ情報付加部と
を備える情報処理装置である。
【０００８】
また、本発明の請求項１１に記載の発明は、表示部と、
文書ファイル内に埋め込まれた動画データを前記表示部上に再生させる動画再生部によって再生される動画データが含む動画コマからユーザ指定の動画コマを受け付ける動画コマ受付部と、
前記動画コマ受付部で指定が受け付けられた動画コマを示す指定動画コマ情報を、当該動画データが埋め込まれている文書ファイルに付加するコマ情報付加部と、
前記コマ情報付加部によって前記文書ファイルに付加された前記指定動画コマ情報が示す動画コマを印刷する印刷部と
を備える画像形成装置である。
【０００９】
これらの発明によれば、動画コマ受付部が、動画再生部によって再生されている動画データが含む動画コマからユーザ指定の動画コマを受け付け、コマ情報付加部が、当該受け付けられた動画コマを示す指定動画コマ情報を、当該動画データが埋め込まれている文書ファイルに付加するので、当該文書ファイルの表示処理又は印刷処理を行うコンピュータは、この文書ファイルに付加された指定動画コマ情報を指標として、当該文書ファイルの文書画像に配置された動画データ再生領域に適用する動画コマを特定可能になる。このため、動画データが埋め込まれている文書ファイルの文書画像を表示又は印刷するときに、当該文書画像の動画データ再生領域に配置して表示又は印刷させる動画コマをユーザ所望の動画コマとすることが可能になるため、動画コマの使い勝手が向上する。
【００１０】
また、本発明の請求項２に記載の発明は、請求項１に記載のファイル生成プログラムであって、前記指定動画コマ情報が示す動画コマを前記動画データ再生領域に配置した前記文書画像を前記表示部に表示させる表示制御部として、
前記情報処理装置を更に機能させるものである。
【００１１】
この発明によれば、表示制御部は、指定動画コマ情報が示す動画コマを、文書ファイルの文書画像における動画データ再生領域に配置して表示部に表示させるので、動画データを構成する複数の動画コマの中から選択されたユーザ所望の動画コマが当該文書画像の動画データ再生領域に表示される。これにより、ユーザは、動画コマ受付部で必要な動画コマを一度指定すると、次に当該文書ファイルの文書画像を表示させたときに、ユーザ所望の動画コマが文書画像と共に表示されるため、文書画像表示時に動画データを再生して必要な動画コマを探さなくても、所望の動画コマを視認することができる。
【００１２】
また、本発明の請求項３に記載の発明は、請求項１に記載のファイル生成プログラムであって、前記文書ファイルに付加された前記指定動画コマ情報が示す動画コマのうち、プリントデータへの変換候補とする動画コマの指定をユーザから受け付ける変換候補受付部と、
前記変換候補受付部に指定が受け付けられた動画コマを、前記文書ファイルに含まれる文書画像における動画データ再生領域に配置した当該文書画像の画像データを、プリンタで印刷が可能なプリントデータに変換するデータ変換部として、
前記情報処理装置を更に機能させるものである。
【００１３】
この発明によれば、データ変換部は、変換候補受付部に指定が受け付けられた動画コマを、上記動画データ再生領域に配置した文書画像の画像データをプリントデータに変換するので、動画データが埋め込まれている文書ファイルの文書画像を印刷するときに、当該文書画像の動画データ再生領域にユーザ所望の動画コマが配置された画像が印刷される。これにより、ユーザは、動画コマ受付部で必要な動画コマを一度指定すると、次に当該文書ファイルを印刷すれば、ユーザ所望の動画コマが文書画像と共に印刷されるため、文書画像印刷前に動画データを再生して必要な動画コマを探す操作を行わなくても、ユーザ所望の動画コマが配置された文書画像を印刷することができる。
【００１４】
また、本発明の請求項４に記載の発明は、請求項３に記載のファイル生成プログラムであって、前記文書ファイルに付加されている前記指定動画コマ情報が示す各動画コマを配置した集約頁の画像データを作成する集約頁作成部として更に機能し、
前記データ変換部が、前記集約頁作成部によって作成された前記集約頁の画像データを、画像形成装置での印刷が可能なプリントデータに変換するように、
更に前記情報処理装置を機能させるものである。
【００１５】
この発明によれば、集約頁作成部が、文書ファイルに付加されている指定動画コマ情報が示す各動画コマを配置した集約頁の画像データを作成し、データ変換部が、当該作成された集約頁の画像データをプリントデータに変換するので、ユーザにより動画コマ受付部で指定された所望の動画コマのみが集められた文書画像が印刷される。
【００１６】
また、本発明の請求項５に記載の発明は、請求項１乃至請求項４のいずれかに記載のファイル生成プログラムであって、前記文書ファイルにアクセスする各ユーザを識別するユーザ識別部として更に機能し、
前記動画コマ受付部は、前記動画コマの指定を、前記ユーザ識別部によって識別された各ユーザ毎に受け付け、
前記コマ情報付加部は、前記動画コマ受付部により指定が受け付けられた動画コマを示す前記指定動画コマ情報を、前記各ユーザ毎に前記文書ファイルに付加するように、前記情報処理装置を機能させるものである。
【００１７】
この発明によれば、コマ情報付加部が、上記指定動画コマ情報を、ユーザ識別部によって識別された各ユーザ毎に文書ファイルに付加するので、当該文書ファイルの表示処理又は印刷処理を行うコンピュータは、当該文書ファイルに含まれる文書画像の動画データ再生領域に適用する動画コマ、又は印刷対象とする動画コマを、この文書ファイルに付加された指定動画コマ情報を指標として、各ユーザ毎に特定することが可能になる。
【００１８】
また、本発明の請求項６に記載の発明は、請求項２に記載のファイル生成プログラムであって、
前記文書ファイルにアクセスする各ユーザを識別するユーザ識別部として更に機能し、
前記動画コマ受付部は、前記動画コマの指定を、前記ユーザ識別部によって識別された各ユーザ毎に受け付け、
前記コマ情報付加部は、前記動画コマ受付部により指定が受け付けられた動画コマを示す前記指定動画コマ情報を、前記各ユーザ毎に前記文書ファイルに付加するように機能し、
前記表示制御部が、前記各ユーザの指定動画コマ情報毎に、当該指定動画コマ情報が示す動画コマを前記動画データ再生領域に配置した前記文書画像を前記表示部に表示させるように、前記情報処理装置を更に機能させるものである。
【００１９】
この発明によれば、表示制御部が、各ユーザの指定動画コマ情報毎に、当該指定動画コマ情報が示す動画コマを動画データ再生領域に配置した文書画像を表示部に表示させるので、当該文書ファイルの表示処理を行うコンピュータは、動画データ再生領域への表示対象とする動画コマを各ユーザ別に特定することが可能になる。
【００２０】
また、本発明の請求項７に記載の発明は、請求項３に記載のファイル生成プログラムであって、前記文書ファイルにアクセスする各ユーザを識別するユーザ識別部として更に機能し、
前記動画コマ受付部は、前記動画コマの指定を、前記ユーザ識別部によって識別された各ユーザ毎に受け付け、
前記コマ情報付加部は、前記動画コマ受付部により指定が受け付けられた動画コマを示す前記指定動画コマ情報を、前記各ユーザ毎に前記文書ファイルに付加するように機能し、
前記データ変換部が、前記各ユーザ毎に付加されている指定動画コマ情報が示す動画コマの画像データに対して、当該各ユーザの指定動画コマ情報別に前記データ変換を行うように、前記情報処理装置を更に機能させるものである。
【００２１】
この発明によれば、データ変換部が、各ユーザ毎に付加されている指定動画コマ情報の示す動画コマの画像データに対して、当該各ユーザの指定動画コマ情報別に上記データ変換を行うので、当該文書ファイルの印刷処理を行うコンピュータは、印刷対象とする動画コマを各ユーザ別に特定することが可能になる。
【００２２】
また、本発明の請求項８に記載の発明は、請求項２に記載のファイル生成プログラムであって、前記文書ファイルにアクセスする各ユーザを識別するユーザ識別部として更に機能し、
前記動画コマ受付部は、前記動画コマの指定を、前記ユーザ識別部によって識別された各ユーザ毎に受け付け、
前記コマ情報付加部は、前記動画コマ受付部により指定が受け付けられた動画コマを示す前記指定動画コマ情報を、前記各ユーザ毎に前記文書ファイルに付加するように機能し、
前記表示制御部が、前記文書ファイルに付加されている全ユーザの指定動画コマ情報が示す動画コマを前記表示部に表示させるように、前記情報処理装置を機能させるものである。
【００２３】
この発明によれば、表示制御部が、文書ファイルに付加されている全ユーザの指定動画コマ情報が示す動画コマを表示部に表示させるので、各ユーザにより動画コマ受付部で所望の動画コマが指定されると、次に当該文書ファイルの文書画像が表示されるときに、全ユーザが所望する全ての動画コマが表示される。
【００２４】
また、本発明の請求項９に記載の発明は、請求項１乃至請求項８のいずれかに記載のファイル生成プログラムであって、前記動画データが含む動画コマについて、前記データ変換部によって前記プリントデータに変換された頻度を算出する変換頻度算出部として更に機能し、
前記動画コマ受付部が、前記変換頻度算出部によって算出された変換頻度が高い動画コマを、前記指定された動画コマとして受け付けるように、前記情報処理装置を機能させるものである。
【００２５】
この発明によれば、動画コマ受付部が、変換頻度算出部によって算出されたプリントデータへの変換頻度が高い動画コマを、上記指定動画コマ情報を構成する動画コマとして受け付けるので、当該文書ファイルの表示処理又は印刷処理を行うコンピュータにより、当該文書ファイルの文書画像における動画データ再生領域に適用される動画コマが、プリントデータへの変換頻度が高いものとなる。
【００２６】
また、本発明の請求項１０に記載の発明は、請求項１乃至請求項８のいずれかに記載のファイル生成プログラムであって、前記動画データが含む各動画コマについて、直前に再生される動画コマの画像データに対する変化量を算出する変化量算出部として更に機能し、
前記動画コマ受付部が、前記動画データが含む動画コマのうち、前記変化量算出部によって算出された変化量が予め定められた値に達している動画コマを、前記指定された動画コマとして受け付けるように、前記情報処理装置を機能させるものである。
【００２７】
この発明によれば、動画コマ受付部が、動画データに含まれる動画コマのうち、直前に再生される動画コマの画像データに対する変化量が予め定められた値に達している動画コマを、上記指定された動画コマとして受け付けるので、当該文書ファイルの表示処理又は印刷処理を行うコンピュータにより、当該文書ファイルの文書画像における動画データ再生領域に適用される動画コマが、動画データの再生画面において大きく表示内容が変わって重要度が高いと想定されるものとなる。
【発明の効果】
【００２８】
本発明によれば、動画データが埋め込まれている文書ファイルの文書画像を表示又は印刷するときに、当該文書画像の動画データ再生領域に表示又は印刷させる動画コマの使い勝手を向上させることができる。
【図面の簡単な説明】
【００２９】
【図１】画像形成システムをなす複合機、サーバ、及びコンピュータについてのネットワーク構成を示す図である。
【図２】ＰＣの内部構成の概略を示すブロック図である。
【図３】複合機の内部構成の概略を示すブロック図である
【図４】指定動画コマ情報の付加処理及び文書ファイル表示処理の第１実施形態を示すフローチャートである。
【図５】文書画像の表示例を示す図である。
【図６】動画データ再生時における動画コマの並び順を示すイメージ図である。
【図７】指定動画コマ情報の例を示す図である。
【図８】指定動画コマ情報の付加処理及び文書ファイル表示処理の第２実施形態を示すフローチャートである。
【図９】指定動画コマ情報の付加処理及び文書ファイル表示処理の第３実施形態の一部を示すフローチャートである。
【図１０】印刷設定画面の例を示す図である。
【図１１】指定動画コマ情報の付加処理及び文書ファイル表示処理の第４実施形態の一部を示すフローチャートである。
【図１２】印刷設定画面の例を示す図である。
【図１３】集約印刷処理の流れを示すフローチャートである。
【図１４】指定動画コマ情報の付加処理の他の実施形態を示すフローチャートである。
【図１５】指定動画コマ情報の付加処理の更に他の実施形態を示すフローチャートである。
【発明を実施するための形態】
【００３０】
以下、本発明の一実施形態に係るファイル生成プログラム、情報処理装置、及び画像形成装置について図面を参照して説明する。図１は画像形成システムをなす複合機、サーバ、及びコンピュータについてのネットワーク構成を示す図である。
【００３１】
画像形成システム１０は、互いにＬＡＮ（Local Area Network）等のネットワークにより接続されたサーバ、クライアントコンピュータ（情報処理装置の一例）、及び複合機（画像形成装置の一例）を備えている。本実施形態では、画像形成システム１０は、本発明の一実施形態に係る情報処理装置としてクライアントコンピュータ４台を備え、本発明の一実施形態に係る画像形成装置として複合機４台を備える。但し、本発明に係る画像形成システムに備えられるコンピュータ及び画像形成装置の台数をこれに制限する趣旨ではない。
【００３２】
複合機１は、コピー機能、ファクシミリ機能、プリンタ機能、スキャナ機能等の機能を兼ね備えている。複合機１は、スキャナ等からなる画像読取部で読み取った原稿のデータを、複合機１の内部記憶装置や、イントラネット等によって複合機１に接続されたサーバＳＶ２、各クライアントコンピュータ（以下、ＰＣ）３１乃至３４内の記憶部等に格納する。また、複合機１は、複合機１の内部記憶装置に記憶されているデータ、及びサーバＳＶ２やＰＣ３１乃至３４から送られてきたデータについてプリントアウト及び表示部１５０での表示等を行う。複合機１、サーバＳＶ２、各ＰＣ３１乃至３４は、相互にデータ通信が可能とされている。そして、複合機１は、サーバＳＶ２、各ＰＣ３１乃至３４から送信されてくる印刷ジョブ等を受信し、当該印刷ジョブ等を実行する機能を有している。なお、サーバＳＶ２は、ＰＣ３１乃至３４から送信されてくる印刷ジョブを受けて、各印刷ジョブに基づいて、管理対象としている複合機１のうち、当該印刷ジョブで指定された複合機１にプリントアウトを行わせる制御を行う。
【００３３】
図２はＰＣ３１の内部構成の概略を示すブロック図である。本発明において必要な構成は、サーバＳＶ２及びＰＣ３１乃至３４について同様であるので、以下については、ＰＣ３１を例にして説明する。ＰＣ３１は、制御ユニット２１と、ＲＯＭ２２と、ＲＡＭ２３３と、ＨＤＤ２４と、表示部２５と、通信Ｉ／Ｆ２６と、入力部２７とを備える。これら各部は、互いにＣＰＵバスによりデータ又は信号の送受信が可能とされている。
【００３４】
制御ユニット２１は、ＣＰＵ等からなり、ＰＣ３１全体の動作制御を司る。ＲＯＭ２２２は、ＰＣ３１の各動作についての動作プログラムを記憶する。ＲＡＭ２３は、制御ユニット２１の動作領域等として使用される。
【００３５】
ＨＤＤ２４は、本発明の一実施形態に係るファイル生成プログラムが記憶されている。また、ＨＤＤ２４の一部領域は、複合機１でプリントアウトを行う対象となる文書ファイル（例えば、PDF（登録商標）ファイル、WORD（登録商標）ファイル等）を記憶する印刷対象データ記憶部２４１として機能する。
【００３６】
制御ユニット２１は、デフォルトでＨＤＤ２４に記憶されているプログラムにより制御部２１１及び通信部２１２として機能する他、上記ファイル生成プログラムに従って機能することで、表示制御部２１３、動画コマ受付部２１４、コマ情報付加部２１５、変換候補受付部２１７、データ変換部２１８、集約頁作成部２１９、ユーザ識別部２２０、変換頻度算出部２２１、及び変化量算出部２２３としても機能する。また、制御ユニット２１は、ＨＤＤ２４に記憶された動画プレーヤアプリケーションに従って機能することで、動画再生部２１０として機能する。但し、制御ユニット２１の制御部２１１乃至変化量算出部２２３の構成は、これに限られず、それぞれハード回路により構成されてもよい。以下、特に触れない限り、各実施形態について同様である。
【００３７】
表示部（表示部）２５は、ＬＣＤ（Liquid Crystal Display）等からなり、印刷対象データ記憶部２４１に記憶されている各文書ファイルの内容（文書画像）、当該ＰＣ３１を操作するユーザに対する操作案内等が表示制御部２１３による制御で表示される。通信Ｉ／Ｆ２６は、通信部２１２による複合機１及びサーバＳＶ２とのデータ通信を行うためのインタフェイスとして機能する。
【００３８】
入力部２７は、キーボードやマウス等から構成され、複合機１に対する印刷ジョブ等がユーザから入力される。例えば、入力部２７には、印刷ジョブとして、ＨＤＤ２４の印刷対象データ記憶部２４１に記憶されている文書ファイル等の中からの印刷対象とする文書ファイルの指定、記録用紙の指定、印刷時における処理方法の指定、プリント動作の実行指示等の各機能の組合せがユーザから入力されることで、原稿サイズ、原稿設定、原稿読取解像度、ファイル形式、カラー／モノクロ印刷、コピー動作の実行指示等の各機能の組合せがユーザから指定される。但し、入力部２７がユーザから受け付ける指示及びジョブの種類をこれらに限定する趣旨ではない。
【００３９】
また、制御ユニット２１は、制御部２１１と、通信部２１２とを備える。
【００４０】
制御部２１１は、ＰＣ３１全体の動作制御を司る。通信部２１２は、通信Ｉ／Ｆ２６を介して上記印刷対象とされる文書ファイルや各種データを、複合機１又は他のコンピュータ（自身以外のコンピュータ。サーバＳＶ２，ＰＣ３２乃至３４）との間で送受信するために必要な処理を行う。
【００４１】
動画再生部２１０は、文書ファイル内に埋め込まれた動画データを表示部２５上に再生させる。例えば、上記PDF（登録商標）ファイル、WORD（登録商標）ファイル等は、文書ファイルに含まれる文書画像中に動画データの埋込が可能とされているが、この動画データを再生するための動画プレーヤが当該動画再生部２１０の一例である。
【００４２】
動画コマ受付部２１４は、動画再生部２１０によって再生されている動画データが含む動画コマから、ユーザによる入力部２７の操作に基づいて、当該動画データを構成する複数の動画コマの中から、ユーザからの動画コマの指定を受け付ける。例えば、表示制御部２１３が文書ファイルに含まれる文書画像を表示部２５に表示させているとき、動画再生部２１０が当該文書ファイルに埋め込まれた動画データを再生するが、この動画データの再生中、ユーザが入力部２７としてのマウスポインタ等の操作により、当該再生されている画面の領域を指定すると、動画コマ受付部２１４は、当該再生されている動画データを構成する動画コマの内、この指定時点で再生されている動画コマを、上記文書画像の動画データ再生領域に表示する動画コマとして受け付ける。このようにユーザにより指定された動画コマは、表示制御部２１３により、文書ファイルの文書画像が表示されるときに、当該文書画像内の動画データの再生領域に表示させる静止画として扱われる。
【００４３】
コマ情報付加部２１５は、動画コマ受付部２１４で指定が受け付けられた動画コマを示す指定動画コマ情報を作成し、この指定動画コマ情報を、当該動画データが埋め込まれている文書ファイルに付加する。
【００４４】
表示制御部２１３は、上述したように、文書ファイルの表示、すなわち、当該文書ファイルに含まれる文書画像を表示部２５に表示させるための表示処理を行う。さらに、表示制御部２１３は、上記指定動画コマ情報が示す動画コマを静止画として動画データ再生領域に配置した文書画像を表示部２５に表示させる。なお、表示制御部２１３は、動画再生部２１０が一時停止で再生させる当該動画コマを上記静止画として用い、動画データ再生領域に配置してもよい。
【００４５】
変換候補受付部２１７は、文書ファイルに付加された指定動画コマ情報が示す動画コマのうち、プリントデータへの変換候補とする動画コマの指定をユーザから受け付ける。当該プリントデータへの変換候補として動画コマの指定を受け付ける処理の詳細は後述する。
【００４６】
データ変換部２１８は、例えば、ＨＤＤ２４にインストールされている複合機１用のプリンタドライバに従って、上記文書データを当該複合機１で印刷可能なデータ形式のプリントデータに変換する。データ変換部２１８は、変換候補受付部２１７に指定が受け付けられた動画コマが、文書ファイルの文書画像における動画データ再生領域に配置された当該文書画像の画像データを、プリンタで印刷が可能なプリントデータに変換する。
【００４７】
集約頁作成部２１９は、文書ファイルに付加されている指定動画コマ情報が示す各動画コマを配置した集約頁の文書画像を作成する。データ変換部２１８は、集約頁作成部２１９によって作成された当該集約頁の文書画像の画像データを上記プリントデータに変換する。
【００４８】
ユーザ識別部２２０は、文書ファイルにアクセスする各ユーザを識別する。例えば、ユーザが入力部２７の操作により当該ユーザ固有のIDを入力すると、ユーザ識別部２２０は、当該入力されたユーザIDが、予め記憶している正規のユーザID群のいずれかと一致するか否かを判断する。ユーザ識別部２２０は、正規のユーザID群のいずれかと一致したユーザIDに対して、文書ファイルへのアクセスを許可すると共に、当該正規IDと一致したユーザIDを記憶する。また、動画コマ受付部２１４は、上述した動画コマの指定を、ユーザ識別部２２０によって識別された各ユーザ別に受け付け、コマ情報付加部２１５は、動画コマ受付部２１４により指定が受け付けられた動画コマを示す指定動画コマ情報を、上記ユーザIDに基づいて各ユーザ別に作成し、この作成した各ユーザ別の指定動画コマ情報を文書ファイルに付加する。
【００４９】
変換頻度算出部２２１は、各動画データが含む複数の動画コマのそれぞれについて、データ変換部２１８によって上記プリントデータに変換された頻度を算出する。この場合、動画コマ受付部２１４は、変換頻度算出部２２１によって算出された変換頻度が予め定められた値に達している変換頻度の高い動画コマを、上記指定された動画コマとして受け付ける。
【００５０】
変化量算出部２２３は、動画データが含む各動画コマについて、直前に再生される動画コマの画像データに対する変化量を算出する。例えば、変化量算出部２２３は、動画データが含む複数の動画コマのうちの１つの動画コマに注目した場合、当該動画コマを構成する画面データと、この動画コマの直前に再生される動画コマを構成する画面データとについて、それぞれの画面データを構成する画素データの画素値を対比し、当該画素値レベルの対比で画素値の変化量を算出する。動画コマ受付部２１４は、当該算出された変化量が予め定められた値に達している画素が、予め定められた数（例えば、全画素数の半数など）だけ存在すると判断すると、当該動画コマを、上指定された動画コマとして受け付ける。
【００５１】
なお、ＰＣ３１は、後述する図４乃至図１５に示す各処理を実行するために必要な各部を備えていれば足り、必ずしも、動画再生部２１０、表示制御部２１３、動画コマ受付部２１４、コマ情報付加部２１５、変換候補受付部２１７、データ変換部２１８、集約頁作成部２１９、ユーザ識別部２２０、変換頻度算出部２２１、及び変化量算出部２２３の全てを備えていなくてもよい。また、ＰＣ３１は、後述する図４乃至図１５に示す各処理を実行するために必要な各部を備えることで、表示装置としても成立する。
【００５２】
図３は、複合機１の内部構成の概略を示すブロック図である。画像形成システム１０に備えられる各複合機１は同様の構成である。複合機１は、装置の各部の動作を制御する制御ユニット１００と、原稿画像を読み取るスキャナ等を有する画像読取部１１０と、画像読取部１１０によって読み取られた原稿のデータ等を一時的に記憶したり、印刷部１３０の印刷対象となるデータを一時的に保存する領域となる画像メモリ１２０と、画像読取部１１０によって読み取られた原稿のデータや、サーバＳＶ２から送信されてきたデータ等を印刷する印刷部１３０とを有する。
【００５３】
また、複合機１は、ファクシミリ通信に必要な諸機能を実行し、公衆回線を通じて外部のファクシミリ装置から画像データを受信するファクシミリ通信部１４０と、印刷又は送信スタートキー、テンキー及び短縮番号キー等からなり、ユーザから各種操作指示（印刷設定の入力、印刷設定用紙の印刷指示等）等の入力を受け付ける操作部１８０と、ユーザへの操作案内等を表示するＬＣＤ（Liquid Crystal Display）等からなる表示部１５０とを備える。なお、この表示部１５０がタッチパネル機能を備えることにより、ユーザからの各種操作指示を受け付けるようにしてもよい。
【００５４】
さらに、複合機１は、画像読取部１１０によって読み取られた原稿画像データ等を記憶する大容量の記憶領域を有するＨＤＤ（ハードディスク）１７０を有している。このＨＤＤ１７０は、画像読取部１１０によって読み取られた原稿画像データや、サーバＳＶ２又はＰＣ３１乃至３４から送信されてきた文書ファイルのデータを蓄積する。
【００５５】
制御ユニット１００は、ＣＰＵ等からなり、複合機１の全体的な動作を司る。制御ユニット１００は、通信部１０２と、制御部１０３とを備えている。
【００５６】
通信部１０２は、サーバＳＶ２と、ＰＣ３１乃至３４との間でデータの送受信に必要な処理を行う。
【００５７】
制御部１０３は、複合機１全体の動作制御を司るものである。本実施形態では、制御部１０３は、通信部１０２によってＰＣ３１等から受信されたジョブに従って、複合機１の各動作機構を動作制御し、当該ジョブが示すプリント動作やコピー動作等を複合機１の各動作機構に行わせる。
【００５８】
さらに、複合機１は、画像読取部１１０が読み取った画像イメージデータ編集／加工（符／復号処理、拡大／縮小処理、圧縮／伸長処理）処理等を行う画像処理部１９０と、サーバＳＶ２、ＰＣ３１乃至３４との間で各種データのやりとりを行うために用いられるネットワークＩ／Ｆ１６０とを有している。
【００５９】
次に、指定動画コマ情報の付加処理及び文書ファイル表示処理について第１実施形態を説明する。図４は指定動画コマ情報の付加処理及び文書ファイル表示処理の第１実施形態を示すフローチャートである。図５は文書画像の表示例を示す図である。図６は動画データ再生時における動画コマの並び順を示すイメージ図、図７は指定動画コマ情報の例を示す図である。
【００６０】
ＰＣ３１において、ユーザによる入力部２７の操作で、ＰＣ３１のＨＤＤ２４内等に記憶されている文書ファイルを指定して、当該文書ファイル開く指示（表示させる指示）が入力され、表示制御部２１３がこの指示を受け付けると、図５に例を示すように、当該文書ファイルが含む文書画像imgを表示部２５に表示させる（Ｓ１）。
【００６１】
このとき、表示制御部２１３は、当該文書ファイルに、指定動画コマ情報が付加されているか否かを判断する（Ｓ２）。表示制御部２１３が、当該文書ファイルに指定動画コマ情報が付加されていないと判断した場合（Ｓ２でＮＯ）、動画再生部２１０は、当該文書ファイルに埋め込まれている動画データを、当該文書画像内の動画データ再生領域pzで再生させる（Ｓ６）。
【００６２】
この動画再生部２１０による動画データの再生時に、ユーザにより入力部２７が操作され、例えば、ユーザがマウスポインタにより、再生されている動画データの画面上でクリック操作を行うと（Ｓ７でＹＥＳ）、動画コマ受付部２１４は、当該クリック操作がされた時に動画データ再生領域pzに再生させていた動画コマの指定をユーザから受け付け、当該指定された動画コマを記憶する（Ｓ８）。例えば、動画再生部２１０による動画再生時に、動画データ再生領域pzに再生させている動画データが、当該図６に示すように、左端の動画コマＡから右方向に動画コマＢ、動画コマＣ…の順に動画コマを遷移させて再生されているとすると、ユーザ所望の各動画コマ（図６では、動画コマＢ、動画コマＤ、動画コマＥ、動画コマＧ）が再生されているそれぞれの時点で、ユーザによりマウスポインタがクリック操作されると、当該クリック操作時点で再生されている各動画コマ（動画コマＢ、動画コマＤ、動画コマＥ、動画コマＧ）が動画コマ受付部２１４に受け付けられる。動画データを構成する各動画コマには、例えば、再生順にコマ番号（上記例では、Ａ，Ｂ，Ｃ，Ｄ，Ｅ，Ｆ，Ｇ…）が割り付けられており、動画コマ受付部２１４は、ユーザにより指定された動画コマのコマ番号を記憶しておく。
【００６３】
続いて、コマ情報付加部２１５は、動画コマ受付部２１４で指定が受け付けられた各動画コマを示す指定動画コマ情報を作成し（Ｓ９）、当該作成した指定動画コマ情報を、当該動画データが埋め込まれている文書ファイルに付加する（Ｓ１０）。例えば、コマ情報付加部２１５は、図７に例を示すように、当該動画データが埋め込まれる文書ファイルを示す文書番号と、指定された各動画コマを示すコマ番号とを関連付けた指定動画コマ情報を作成して当該文書ファイルに添付する。なお、各動画コマ番号には、表示順を示す表示順番号が付される。
【００６４】
一方、上記Ｓ２において、表示制御部２１３が、当該文書ファイルに指定動画コマ情報が付加されていると判断した場合は（Ｓ２でＹＥＳ）、表示制御部２１３は、当該指定動画コマ情報を解析し、当該指定動画コマ情報が示す動画コマを特定する(Ｓ３)。
【００６５】
そして、表示制御部２１３は、当該特定した動画コマを、動画データを構成する動画コマの中から抽出し、当該抽出した動画コマを、当該文書ファイルの文書画像における動画データ再生領域pzに、静止画として表示させる(Ｓ４)。なお、表示制御部２１３は、上記抽出した動画コマが１つであった場合は、当該抽出した１つの動画コマを上記動画データ再生領域pzに表示させる。一方、表示制御部２１３は、上記抽出した動画コマが複数であった場合は、予め定められた時間(例えば、3秒)ずつ、当該抽出した各動画コマをそれぞれ上記動画データ再生領域pzに表示させ、当該予め定められた時間が経過すると、当該抽出した動画コマの更に別の動画コマの表示に切り替える。
【００６６】
ここで、ユーザによる入力部２７の操作（動画データ再生領域pz内のいずれかのポイントをマウスポインタでダブルクリックする等）で、動画データを再生させる指示が入力され、動画再生部２１０が当該指示を受け付けると（Ｓ５でＹＥＳ）、Ｓ６以降の処理が行われる。
【００６７】
次に、指定動画コマ情報の付加処理及び文書ファイル表示処理について第２実施形態を説明する。図８は指定動画コマ情報の付加処理及び文書ファイル表示処理の第２実施形態を示すフローチャートである。なお、図４を用いて説明した第１実施形態と同様の処理は説明を省略する。
【００６８】
第２実施形態では、動画コマ受付部２１４が、上記動画コマの指定を、各ユーザ毎に受け付け、当該ユーザ毎に指定動画コマ情報を作成して、当該作成された各ユーザ別の指定動画コマ情報を、コマ情報付加部２１５が１つの文書ファイルに付加するものである。
【００６９】
第１実施形態と同様にしてＰＣ３１で文書ファイルを開く指示がユーザから入力されると、第２実施形態では、表示制御部２１３か、当該ユーザに対して、ユーザID（各ユーザを個別に識別するための各ユーザ固有の識別情報）の入力を促すメッセージを表示部２５に表示させる。この状態でユーザによる入力部２７の操作でユーザIDが入力されると、ユーザ識別部２２０が、当該入力されたユーザIDが、予め記憶している正規のユーザID群のいずれかと一致するか否かを判断する（Ｓ１１）。
【００７０】
ユーザ識別部２２０が、当該入力されたユーザIDが正規のユーザID群のいずれかと一致して有効であると判断した場合（Ｓ１１でＹＥＳ）、ユーザ識別部２２０は、文書ファイルへのアクセスを許可すると共に、当該正規IDと一致したユーザIDを記憶する（Ｓ１２）。そして、表示制御部２１３は、当該該文書ファイルの文書画像を表示部２５に表示させる（Ｓ１３）。このとき、表示制御部２１３は、当該文書ファイルに、指定動画コマ情報が付加されているか否かを判断する（Ｓ１４）。表示制御部２１３が、当該文書ファイルに指定動画コマ情報が付加されていないと判断した場合（Ｓ１４でＮＯ）、動画再生部２１０は、当該文書ファイルに埋め込まれている動画データを、当該文書画像内の動画データ再生領域pzで再生させる（Ｓ１８）。
【００７１】
なお、ユーザ識別部２２０は、当該入力されたユーザIDが正規のユーザID群のいずれかと一致せず無効であると判断した場合は（Ｓ１１でＮＯ）、Ｓ１２以降の処理を行うことなく処理を終了する。
【００７２】
動画再生部２１０が当該文書ファイルの動画データを再生させているときに（Ｓ１８）、動画コマ受付部２１４がユーザからの動画コマの指定を受け付けると（Ｓ１９でＹＥＳ）、コマ情報付加部２１５は、当該指定された動画コマを示す指定動画コマ情報を作成し、当該動画コマ情報に、上記Ｓ１２で記憶したユーザIDを対応付ける（Ｓ２０）。すなわち、コマ情報付加部２１５は、当該文書ファイルへのアクセスが許可されたユーザIDを用いて指定された動画コマからなる指定動画コマ情報を作成する。コマ情報付加部２１５は、当該ユーザIDを対応付けて作成した指定動画コマ情報を、当該動画データが埋め込まれている文書ファイルに付加する（Ｓ２１）。
【００７３】
複数のユーザがそれぞれのユーザIDを用いて同一の文書ファイルにアクセスする場合も想定されるが、本第２実施形態では、複数のユーザがそれぞれのユーザIDを用いて別々に同一の文書ファイルにアクセスした場合、動画コマ受付部２１４は、各ユーザID毎に、上記のＳ１１乃至Ｓ２１の処理を行い、各ユーザID別に作成したそれぞれの指定動画コマ情報を当該同一の文書ファイルに付加する。すなわち、当該文書ファイルは、各ユーザ毎に作成されたそれぞれの指定動画コマ情報を有する。なお、当該文書ファイルの表示時及び印刷時には、表示制御部２１３及びデータ変換部２１８は、当該文書ファイルの表示指示入力時にＳ１１で受け付けられた正規のユーザIDに対応する指定動画コマ情報を、当該文書ファイルに付加されている各指定動画コマ情報の中から選択し、この選択した動画コマ情報に従って、表示処理及び印刷用データ変換処理を行う。
【００７４】
一方、上記Ｓ１４において、表示制御部２１３が、当該文書ファイルに指定動画コマ情報が付加されていると判断した場合は（Ｓ１４でＹＥＳ）、表示制御部２１３は、当該文書ファイルに付加されている指定動画コマ情報の中から、上記Ｓ１１で正規と判断されたユーザIDに対応する指定動画コマ情報を判別し、当該ユーザIDに対応する指定動画コマ情報が示す動画コマを特定する(Ｓ１５)。表示制御部２１３は、当該特定した動画コマを、動画データを構成する動画コマの中から抽出し、当該抽出した動画コマを当該文書ファイルの文書画像における動画データ再生領域pzに表示させる(Ｓ１６)。なお、表示制御部２１３は、第１実施形態と同様に、上記抽出した動画コマが１つであった場合は、当該抽出した１つの動画コマを上記動画データ再生領域pzに表示させ、上記抽出した動画コマが複数であった場合は、予め定められた時間(例えば、3秒)ずつ、当該抽出した各動画コマをそれぞれ上記動画データ再生領域pzに表示させ、当該予め定められた時間が経過すると、当該抽出した動画コマの更に別の動画コマの表示に切り替える。
【００７５】
ここで、ユーザによる入力部２７の操作（動画データ再生領域pz内のいずれかのポイントをマウスポインタでダブルクリックする等）で、動画データを再生させる指示が入力され、動画再生部２１０が当該指示を受け付けると（Ｓ１７でＹＥＳ）、Ｓ１８以降の処理が行われる。
【００７６】
次に、指定動画コマ情報の付加処理及び文書ファイル表示処理について第３実施形態を説明する。図９は指定動画コマ情報の付加処理及び文書ファイル表示処理の第３実施形態の一部を示すフローチャートである。なお、図９に示す一連の処理が、図４に示した上記第１実施形態に続けて行われることで、第３実施形態となる。
【００７７】
表示制御部２１３が、指定動画コマ情報に基づいて抽出した動画コマを文書画像の動画データ再生領域に表示させているとき(図４のＳ４)、表示制御部２１３は、ユーザによる入力部２７の操作で、当該文書ファイルを印刷する指示が入力されたか否かを判断する（Ｓ２２）。ここで、表示制御部２１３は、当該印刷指示が入力されたと判断した場合は（Ｓ２２でＹＥＳ）、図１０に例を示すような印刷設定画面Ａを表示部２５に表示させる（Ｓ２３）。
【００７８】
この印刷設定画面の表示時に、制御部２１１は、ユーザによる入力部２７の操作で入力される印刷形式の選択指示の内容を判断する（Ｓ２４）。制御部２１１が、ユーザからの印刷形式の選択指示が、指定動画コマ情報が示す各動画コマを集約した集約頁を印刷する集約印刷の指示であると判断した場合は（Ｓ２４で「集約頁」）、後述する集約印刷処理に移る（Ｓ３０）。
【００７９】
一方、制御部２１１によって、ユーザからの印刷形式の選択指示が、当該文書ファイルの全頁及び上記集約頁を印刷する指示であると判断された場合は（Ｓ２４で「全頁及び集約頁」）、後述する全頁及び集約頁印刷処理に移る（Ｓ２９）。
【００８０】
また、制御部２１１によって、ユーザからの印刷形式の選択指示が、当該動画データ再生領域が配された頁の画像のみを印刷する動画枠印刷の指示であると判断した場合は（Ｓ２４で「動画枠印刷」）、データ変換部２１８は、ユーザによる入力部２７の操作で、印刷する動画コマを指定する指示が入力されたか否かを判断する（Ｓ２５）。
【００８１】
図１０の印刷設定画面Ａには、印刷形式指定領域ａ２に、印刷形式を指定するために必要な操作をユーザに案内する画像として、文書ファイルの全頁及び上記集約頁を印刷する指示を受け付けるための「動画印刷をする」画像i1とそのラジオボタンi11、動画データ再生領域を有する頁のみを印刷する動画枠印刷の指示を受け付けるための「動画枠のページを印刷する」i2とそのラジオボタンi21、指定動画コマ情報が示す各動画コマを集約した集約頁を印刷する集約印刷の指示を受け付けるための「動画コマのページ集約を印刷する」画像i3とそのラジオボタンi31が表示制御部２１３により表示される。
【００８２】
この状態で、ユーザが入力部２７としてのマウスポインタにより、上記ラジオボタンi11,i21,i31のいずれかをクリックすると、当該クリックされたラジオボタンに対応する上記各指示のいずれかが、Ｓ２３における上記印刷形式の選択として制御部２１１に受け付けられる。
【００８３】
データ変換部２１８が、印刷する動画コマを指定する指示がユーザから入力されたと判断した場合（Ｓ２５でＹＥＳ）、当該指定された動画コマを、当該文書ファイルに付加されている指定動画コマ情報から抽出し、当該抽出した動画コマを動画データ再生領域に表示した文書画像を生成し（Ｓ２６）、当該生成した文書画像を、複合機１でプリントが可能なフォーマット形式のプリントデータに変換する（Ｓ２７）。
【００８４】
例えば、図１０に示す印刷設定画面Ａの場合、表示制御部２１３により、動画枠指定領域ａ３に、動画データ再生領域を有する文書画像のサムネイル画像ｓ１が表示されると共に、印刷対象として指定される動画コマを表示する画像i4が表示されており、ユーザによる入力部２７としてのマウスポインタの操作で当該画像i4をクリックし、入力部２７としてのキーボードから、指定動画コマ情報が示す動画コマの中から印刷対象とする動画コマの上記表示順番号を入力することで、当該入力した表示順番号に対応付けられた動画コマの指定がデータ変換部２１８に受け付けられる。なお、指定動画コマ表示領域ａ１には、指定動画コマ情報が示す動画コマを表示するための動画コマ表示欄i5が表示され、当該動画コマ表示欄i5には、表示制御部２１３により、指定動画情報が示す各動画コマのサムネイル画像が上記表示順番号及びコマ番号と共に表示される。ユーザは、動画コマ表示欄i5に表示された各動画コマのサムネイル画像を視認することで、所望の動画コマを認識することができる。なお、動画コマ表示欄i5に表示されている「↑」画像又は「↓」画像不文をユーザがマウスポインタの操作でクリックすると、動画コマ表示欄i5内の表示内容が表示制御部２１３によりスクロール表示される。
【００８５】
また、データ変換部２１８が、印刷する動画コマを指定する指示がユーザから入力されなかったと判断した場合は（Ｓ２５でＮＯ）、予め定められた動画コマ（例えば、動画データを構成する各動画コマの内、上記表示順番号が第１番の動画コマなど）を動画データ再生領域に表示した文書画像を生成し（Ｓ２８）、当該生成した文書画像を、複合機１でプリントが可能なフォーマット形式のプリントデータに変換する（Ｓ２７）。
【００８６】
次に、指定動画コマ情報の付加処理及び文書ファイル表示処理について第４実施形態を説明する。図１１は指定動画コマ情報の付加処理及び文書ファイル表示処理の第４実施形態の一部を示すフローチャートである。なお、図１１に示す一連の処理が、図８に示した上記第２実施形態に続けて行われることで、当該第４実施形態となる。なお、第４実施形態の説明において、第３実施形態と同様の処理は説明を省略する。
【００８７】
この第４実施形態では、表示制御部２１３は、印刷設定画面Ａを表示部２５に表示させているとき（Ｓ３２）、ユーザによる入力部２７の操作で、当該文書ファイルに付加されている全ての指定動画コマ情報が示す動画コマを当該印刷設定画面Ａ上に表示させる指示と、この時点で有効と判断されているユーザIDに対応する指定動画コマ情報のみが示す動画コマを表示させる指示のいずれが入力されたかを判断する（Ｓ３３）。
【００８８】
例えば、図１２に示す印刷設定画面Ａのように、指定動画コマ情報が示す動画コマを表示するための動画コマ表示欄i5と共に、動画コマ表示欄i5に、この時点で有効と判断されているユーザIDに対応する指定動画コマ情報のみが示す動画コマを表示させる指示と、当該文書ファイルにユーザID毎に付加されている全ての指定動画コマ情報が示す動画コマを全て表示させる指示のいずれかを受け付けるための「全員の動画コマを表示」画像i6と、これに対応するラジオボタンi61が、表示制御部２１３により表示される。この状態で、ユーザが入力部２７としてのマウスポインタにより、上記ラジオボタンi61をクリックすると、当該文書ファイルにユーザID毎に付加されている全ての指定動画コマ情報が示す動画コマを全て表示させる指示が表示制御部２１３に受け付けられ、ユーザがラジオボタンi61をクリックしなければ、この時点で有効と判断されているユーザIDに対応する指定動画コマ情報のみが示す動画コマを表示させる指示が表示制御部２１３に受け付けられる。なお、当該図１２及び上記の図１０において、ユーザ指示の入力後、ユーザが入力部２７としてのマウスポインタにより、印刷設定画面Ａに表示されている「OK」画像i10をクリックすると、既に入力済みの各ユーザ指示がデータ変換部２１８等の各部に受け付けられ、「CANCEL」画像i11をクリックすると、既に入力済みの各ユーザ指示はデータ変換部２１８等の各部においてキャンセルされる。
【００８９】
表示制御部２３１は、当該文書ファイルに付加されている全ての指定動画コマ情報が示す動画コマを当該印刷設定画面Ａ上に表示させる指示が入力されたと判断した場合は（Ｓ３３で「全ての動画コマ」）、印刷設定画面Ａの動画コマ表示欄i5に、当該文書ファイルに付加されている全ての指定動画コマ情報が示す動画コマのサムネイル画像を表示させる（Ｓ４３）。
【００９０】
また、表示制御部２３１は、この時点で有効と判断されているユーザIDに対応する指定動画コマ情報のみが示す動画コマを表示させる指示が入力されたと判断した場合は（Ｓ３３で「ユーザのみ」）、印刷設定画面Ａ動画コマ表示欄i5に、この時点で有効と判断されているユーザIDに対応する指定動画コマ情報のみが示す動画コマを表示させる指示のサムネイル画像を表示させる（Ｓ３４）。
【００９１】
続いて、制御部２１１は、印刷形式を選択する指示の受付（Ｓ３５）を、図９に示した第３実施形態のＳ２４と同様にして行う。このユーザからの印刷形式の選択指示が、当該動画データ再生領域が配された頁の画像のみを印刷する動画枠印刷の指示であると制御部２１１が判断した場合（Ｓ３５で「動画枠印刷」）、データ変換部２１８は、ユーザによる入力部２７の操作で、印刷する動画コマを指定する指示が入力されたか否かを判断する（Ｓ３６）。当該印刷対象とする動画コマの指定は、第３実施形態と同様にして行われるが、ユーザの指示に基づいて、印刷設定画面Ａの動画コマ表示欄i5に、当該文書ファイルに付加されている全ての指定動画コマ情報が示す動画コマのサムネイル画像が表示されている場合は（Ｓ４３を経た場合）、データ変換部２１８は、ユーザによる入力部２７の操作に応じて、当該全ての指定動画コマ情報が示す動画コマの中から印刷対象とする動画コマの指定を受け付ける。従って、第４実施形態におけるＳ３７では、この時点で有効と判断されているユーザIDに対応する指定動画コマ情報のみが示す動画コマの中から指定された動画コマを有する文書画像の生成と、当該文書ファイルに付加されている全ての指定動画コマ情報が示す動画コマを有する文書画像の生成のいずれかが行われる。
【００９２】
次に、上記集約印刷処理を説明する。図１３は、集約印刷処理の流れを示すフローチャートである。当該集約印刷処理は、上記図９を用いて説明した表示制御等の第３実施形態において処理がＳ３０に入ったとき、或いは、図１１を用いて説明した表示制御等の第４実施形態において処理がＳ４１に入ったときに行われる。
【００９３】
集約印刷を行う場合、まず、集約頁作成部２１９は、ユーザによる入力部２７の操作で、1シート当たりの動画コマ印刷数が指定されたか否かを判断する（Ｓ５１）。ここで、集約頁作成部２１９は、ユーザにより1シート当たりの動画コマ印刷数が指定された場合は（Ｓ５１でＹＥＳ）、当該指定された動画コマ数を1シート当たりの動画コマ印刷数として設定する（Ｓ５２）。一方、集約頁作成部２１９は、ユーザにより1シート当たりの動画コマ印刷数が指定されない場合は（Ｓ５１でＮＯ）、予め定められた動画コマ数（例えば、4つ）を1シート当たりの動画コマ印刷数として設定する（Ｓ５９）。例えば、シート上に印刷される各動画コマの印刷刷領域は、シート上における印刷可能領域を印刷動画コマ数で割って得られた領域とされる。
【００９４】
続いて、集約頁作成部２１９は、ユーザによる入力部２７の操作で、集約印刷時に1シートに印刷される各動画コマの配置順（レイアウト）が指定されたか否かを判断する（Ｓ５３）。ここで、集約頁作成部２１９は、当該配置順が指定された場合は（Ｓ５３でＹＥＳ）、当該指定された配置順を、1シートに印刷される各動画コマの配置順として設定する（Ｓ５４）。なお、集約頁作成部２１９は、当該配置順が指定されない場合（Ｓ５３でＮＯ）、予め定められたデフォルトの配置順を、1シートに印刷される各動画コマの配置順として設定する（Ｓ６０）。
【００９５】
例えば、図１０又は図１２に示す印刷設定画面Ａの場合、表示制御部２１３により、集約印刷作業領域ａ４に、1シート当たりの動画コマ印刷数の入力を促す画像i8が表示される。この状態で、ユーザが入力部２７としてのマウスポインタの操作で当該画像i8をクリックし、入力部２７としてのキーボードから1シート当たりの動画コマ印刷数を入力すると、当該入力した動画コマ印刷数がデータ変換部２１８に、1シート当たりの動画コマ印刷数として設定される。表示制御部２１３は、当該設定された動画コマ数を画像i8として表示すると共に、当該設定された動画コマ数でなる集約頁のサムネイル画像s2を表示する。また、集約印刷作業領域ａ４には、表示制御部２１３により、集約印刷時に1シートに印刷される各動画コマの配置順（レイアウト）の入力を促す画像i6が表示される。この状態で、ユーザがマウスポインタの操作で、当該画像i6として並び順「右から左」「左から右」「自動設定」を表示してなる各画像のいずれかの画像部分がクリックされると、当該画像に対応付けられて用意されている並び順（右から左、左から右、自動設定のいずれか）が上記配置順として設定される。なお、当該配置順は、上記デフォルトとして自動設定とされており、並び順「右から左」「左から右」のいずれかがクリックされると、配置順が、「右から左」又は「左から右」のうちクリックされた方に設定される。
【００９６】
さらに、データ変換部２１８は、ユーザからの指示により印刷する動画コマが指定されたか否かを判断する（Ｓ５６）。
【００９７】
例えば、図１０又は図１２に示す印刷設定画面Ａの場合、表示制御部２１３により、集約印刷作業領域ａ４には、集約頁として印刷させる動画コマを指定する上記表示順番号の入力を促す画像i7が表示される。この状態で、ユーザが入力部２７としてのマウスポインタの操作で当該画像i7をクリックし、入力部２７としてのキーボードから、印刷対象とする動画コマに対応する表示順番号を入力すると、当該入力した表示順番号が、データ変換部２１８に、印刷対象とする各動画コマの表示順番号として設定される。表示制御部２１３は、当該設定された表示順番号を画像i7として表示する。
【００９８】
このとき、当該印刷対象とする動画コマの指定は、文書ファイルに複数ユーザ毎の指定動画コマ情報が付加されている場合、上記表示制御等の第４実施形態と同様にして行われる。すなわち、印刷設定画面Ａの動画コマ表示欄i5に、当該文書ファイルに付加されている全ての指定動画コマ情報が示す動画コマのサムネイル画像が表示されている場合は、データ変換部２１８は、ユーザによる入力部２７の操作に応じて、当該全ての指定動画コマ情報が示す動画コマの中から印刷対象とする動画コマの指定を受け付ける。従って、後述するＳ５７では、この時点で有効と判断されているユーザIDに対応する指定動画コマ情報のみが示す動画コマの中から指定された動画コマを有する文書画像の生成と、当該文書ファイルに付加されている全ての指定動画コマ情報が示す動画コマを有する文書画像の生成のいずれかが行われる。
【００９９】
集約頁作成部２１９が、印刷する動画コマが指定されたと判断した場合は（Ｓ５６でＹＥＳ）、当該指定された動画コマを配置した集約頁の画像を、Ｓ５２又はＳ５９で指定された1シート当たりのコマ数と、Ｓ５４又はＳ６０で設定された配置順とに従って生成し（Ｓ５７）、データ変換部２１８は、当該生成された集約頁の画像を、複合機１でプリントが可能なフォーマット形式のプリントデータに変換する（Ｓ５８）。なお、集約頁作成部２１９が、印刷する動画コマが指定されていないと判断した場合は（Ｓ５６でＮＯ）、Ｓ５７及びＳ５８の処理を行うことなく処理を終了する。
【０１００】
次に、指定動画コマ情報の付加処理の他の実施形態を説明する。図１４は、指定動画コマ情報の付加処理の他の実施形態を示すフローチャートである。当該他の実施形態として示す処理は、図９に示すＳ２７の後、又は図１１に示すＳ３８の後に行われる。
【０１０１】
この実施形態では、変換頻度算出部２２１は、プリントデータへの変換対象となった各動画コマについての変換回数をカウントしている。ユーザ所望の動画コマ又は予め定められた動画コマがプリントデータに変換されると（図９のＳ２７，図１１のＳ３８）、変換頻度算出部２２１は、当該プリントデータへの変換対象となった各動画コマについての変換回数をカウントアップし、各動画データの変換頻度を算出する（Ｓ６１）。すなわち、変換頻度算出部２２１は、当該プリントデータへの変換対象となった各動画コマについての変換回数を記憶し、予め定められた期間（例えは、7日間）毎に、各動画コマについての上記変換回数を集計することにより各動画コマについてのそれぞれの変換頻度を算出する。
【０１０２】
そして、コマ情報付加部２１５は、上記変換頻度算出部２２１によって算出された変換頻度が予め定められた値（例えば、14等）に達している動画コマを検出し、当該検出した動画コマからなる指定動画コマ情報を作成し（Ｓ６２）、当該指定動画コマ情報を文書ファイルに付加する（Ｓ６３）。
【０１０３】
なお、図１１に示す処理のように、ユーザIDに基づくユーザ識別が行われている場合は、変換頻度算出部２２１は、各ユーザIDに対応する指定動画コマ情報毎に、各動画コマについての上記変換頻度を算出し、各ユーザID毎に、上記変換頻度が予め定められた値に達している動画コマからなる指定動画コマ情報を作成し、当該作成した指定動画コマ情報を文書ファイルに付加する。
【０１０４】
続いて、指定動画コマ情報の付加処理の更に他の実施形態を説明する。図１５は、指定動画コマ情報の付加処理の更に他の実施形態を示すフローチャートである。当該更に他の実施形態として示す処理は、図４に示すＳ７〜Ｓ１０の処理に代えて行われる。
【０１０５】
この実施形態では、動画再生部２１０が、当該文書ファイルに埋め込まれている動画データを、当該文書画像内の動画データ再生領域pzで再生させているとき（図４のＳ６）、変化量算出部２２３が、当該再生されている動画データの各動画コマについて、直前に再生される動画コマの画像データに対する上記変化量を算出する（Ｓ７１）。そして、動画コマ受付部２１４は、当該算出された変化量が予め定められた値に達している画素が、上記予め定められた数だけ存在する各動画コマを記憶する（Ｓ７２）。
【０１０６】
そして、コマ情報付加部２１５は、上記記憶した各動画コマからなる指定動画コマ情報を作成し（Ｓ７３）、当該指定動画コマ情報を文書ファイルに付加する（Ｓ７４）。
【０１０７】
なお、本発明は上記実施の形態の構成に限られず種々の変形が可能である。すなわち、本発明の範囲は上記に示した各実施形態に限定されるものではなく、発明の主旨を逸脱しない範囲で種々の変更を加えて実施することができる。
【０１０８】
例えば、複合機１が、その制御ユニット１００に、上述したＰＣ３１と同様の動画再生部２１０、表示制御部２１３、動画コマ受付部２１４、コマ情報付加部２１５、変換候補受付部２１７、データ変換部２１８、集約頁作成部２１９、ユーザ識別部２２０、変換頻度算出部２２１、及び変化量算出部２２３のうち、上述した図４乃至図１５に示した処理を実行するために必要な各部を備えるものとし、当該ＰＣ３１で行う図４乃至図１５に示した処理を複合機１が行うものとしてもよい。
【０１０９】
この場合、記憶部１７０に上記ファイル生成プログラムが記憶されているものとし、制御ユニット１００が、当該ファイル生成プログラムに従って機能することで、表示制御部２１３、動画コマ受付部２１４、コマ情報付加部２１５、変換候補受付部２１７、データ変換部２１８、集約頁作成部２１９、ユーザ識別部２２０、変換頻度算出部２２１、及び変化量算出部２２３として機能する。また、制御ユニット１００は、記憶部１７０に記憶された動画プレーヤアプリケーションに従って機能することで、動画再生部２１０として機能する。そして、複合機１の表示部１５０で上述した各表示処理が行われる。また、制御部１０３による制御の下、データ変換部２１８により複合機１での印刷が可能なフォーマット形式に変換されたプリントデータを印刷部１３０が印刷する。但し、制御ユニット１００の制御部２１１乃至変化量算出部２２３の構成は、これに限られず、それぞれハード回路により構成されてもよい。
【０１１０】
また、上記実施形態では、本発明の実施形態の構成及び処理を図１乃至図１５に示しているが、当該構成及び処理は本発明の実施形態の単なる一例に過ぎない。
【符号の説明】
【０１１１】
１０          画像形成システム
１            複合機
１００        制御ユニット
１０２        通信部
１０３        制御部
１３０        印刷部
１５０        表示部
１７０        記憶部
１９０        画像処理部
２５          表示部
２７          入力部
３１乃至３４  ＰＣ３１
２１          制御ユニット
２１０        動画再生部
２１１        制御部
２１２        通信部
２１３        表示制御部
２１４        動画コマ受付部
２１５        コマ情報付加部
２１７        変換候補受付部
２１８        データ変換部
２１９        集約頁作成部
２２０        ユーザ識別部
２２１        変換頻度算出部
２２３        変化量算出部
２３１        表示制御部
２４          ＨＤＤ
２４１        印刷対象データ記憶部
ＳＶ２        サーバ
【図１】
2012099932.tif 000003
【図２】
2012099932.tif 000004
【図３】
2012099932.tif 000005
【図４】
2012099932.tif 000006
【図５】
2012099932.tif 000007
【図６】
2012099932.tif 000008
【図７】
2012099932.tif 000009
【図８】
2012099932.tif 000010
【図９】
2012099932.tif 000011
【図１０】
2012099932.tif 000012
【図１１】
2012099932.tif 000013
【図１２】
2012099932.tif 000014
【図１３】
2012099932.tif 000015
【図１４】
2012099932.tif 000016
【図１５】
2012099932.tif 000017